(57)【要約】【課題】情報収集に係る各種設備に異常が発生した場合でも、その設備による情報の収集対象となる通信端末から情報を収集できない事態となることを回避する。【解決手段】自治体の地区毎のグループに分けられた複数の戸別応答装置２４と、地区毎の情報収集端末２１及び上り系無線設備（基地局２２や中継局２３）と、各地区の情報収集端末２１を管理する統制局操作装置２５とを備え、統制局操作装置２５は、いずれかの地区の上り系無線設備に異常を検出すると、異常を検出された上り系無線設備と重複する無線通信エリアを有する上り系無線設備を備えた他の地区の情報収集端末２１に、異常を検出された上り系無線設備を有する地区の戸別応答装置２４からの情報の収集を依頼し、統制局操作装置２５から依頼を受けた情報収集端末２１が、当該依頼で指定された戸別応答装置２４から情報を収集する。【選択図】図４
2015065600.tif 000002
【特許請求の範囲】
【請求項１】
複数のグループに分けられた複数の通信端末と、自装置に割り当てられたグループの通信端末から無線通信により情報を収集する複数の収集装置と、前記複数の収集装置を管理する上位装置と、を備えた無線通信システムであって、
前記上位装置は、前記複数の収集装置のいずれかに異常を検出すると、異常を検出された収集装置と重複する無線通信エリアを有する他の収集装置に、異常を検出された収集装置に割り当てられたグループの通信端末を指定して情報の収集を依頼し、
前記上位装置から依頼を受けた収集装置は、当該依頼で指定された通信端末から情報を収集する、
ことを特徴とする無線通信システム。
【請求項２】
請求項１に記載の無線通信システムにおいて、
前記収集装置は、自装置に割り当てられたグループの通信端末の各々から順番に情報を収集する収集処理を有し、前記上位装置からの依頼で指定された通信端末を前記収集処理の対象に追加する、
ことを特徴とする無線通信システム。
【請求項３】
請求項１又は請求項２に記載の無線通信システムにおいて、
前記収集装置は、自装置に割り当てられたグループの通信端末の各々から順番に情報を収集する収集処理を有し、
前記上位装置は、異常を検出された収集装置が前記収集処理の途中であった場合には、当該収集装置に割り当てられたグループに属する通信端末のうち前記収集処理により既に情報の収集を終えた通信端末以外を指定して、前記他の収集装置に情報の収集を依頼する、
ことを特徴とする無線通信システム。
【請求項４】
請求項１乃至請求項３のいずれか１項に記載の無線通信システムにおいて、
前記上位装置は、異常を検出された収集装置と重複する無線通信エリアを有する他の収集装置が複数存在する場合に、異常を検出された収集装置に割り当てられたグループの通信端末からの情報の収集を、前記他の複数の収集装置に分散して指定した依頼を行う、
ことを特徴とする無線通信システム。
【請求項５】
請求項１乃至請求項４のいずれか１項に記載の無線通信システムにおいて、
前記上位装置は、異常を検出された収集装置に割り当てられたグループの通信端末から前記他の収集装置により収集された情報を、異常を検出された収集装置へ送信する、
ことを特徴とする無線通信システム。
【発明の詳細な説明】
【技術分野】
【０００１】
本発明は、各所に設けられた通信端末から無線通信により情報を収集する収集装置を備えた無線通信システムに関する。
【背景技術】
【０００２】
近年、自治体内の各地区の住民に種々の情報を伝達するために、一般住民宅に戸別受信機を設置しておき、地区放送用の基地局から無線送信された放送波（地区放送に係る音声を載せた信号波）を戸別受信機で受信してスピーカ出力する地区放送システムが構築されている。
また、放送波の受信結果を無線送信する戸別応答装置を戸別受信機と一体又は別体に設けておき、地区毎に設けられた情報収集端末が、地区放送とは別系統の基地局や中継局を通じて、地区内の各戸別応答装置から無線通信により各種の情報を収集することも行われている。
【０００３】
情報収集端末が戸別応答装置から収集する情報としては、戸別受信機による放送波（下り通信）の受信結果を示す情報や、戸別応答装置に設けられた操作ボタンの押下を示す情報などが挙げられる。
これら情報の収集は、一般に、情報収集端末が各戸別応答装置に対し、送信する情報の有無を順次問い合わせるポーリング方式（例えば、特許文献１参照）で行われる。
【先行技術文献】
【特許文献】
【０００４】
【特許文献１】特開２００６−２０１８７９号公報
【発明の概要】
【発明が解決しようとする課題】
【０００５】
ポーリング方式は、フレーム毎に時分割して実行するため、呼の衝突を軽減できる等のメリットがある。
一方、デメリットとして、情報収集端末の故障時や、情報収集端末と各戸別応答装置とを繋ぐ経路上の設備（基地局や中継局）の故障時などに、特定の地区の戸別応答装置から情報を収集できない可能性がある。これは、情報収集に係る各種設備（情報収集端末、基地局、中継局）は地区毎に設けてあり、情報の収集対象となる端末である戸別応答装置が、その地区内の戸別応答装置に固定されているためである。
【０００６】
本発明は、情報収集に係る各種設備に異常が発生した場合でも、その設備による情報の収集対象となる通信端末（例えば、戸別応答装置）から情報を収集できない事態となることを回避することを目的とする。
【課題を解決するための手段】
【０００７】
上記目的を達成するために、本発明では、無線通信システムを以下のように構成した。
すなわち、複数のグループに分けられた複数の通信端末と、自装置に割り当てられたグループの通信端末から無線通信により情報を収集する複数の収集装置とを備えた無線通信システムに、前記複数の収集装置を管理する上位装置を設け、前記上位装置が、前記複数の収集装置のいずれかに異常を検出すると、異常を検出された収集装置と重複する無線通信エリアを有する他の収集装置に、異常を検出された収集装置に割り当てられたグループの端末からの情報の収集を依頼し、前記上位装置から依頼を受けた収集装置は、当該依頼で指定された通信端末から情報を収集する。
これにより、異常が発生した収集装置に割り当てられたグループの通信端末からの情報の収集を、当該収集装置に代替して、当該収集装置と重複する無線通信エリアを有する他の収集装置により実施することができる。
【０００８】
ここで、一構成例として、前記収集装置は、自装置に割り当てられたグループの通信端末の各々から順番に情報を収集する収集処理を有し、前記上位装置からの依頼で指定された通信端末を前記収集処理の対象に追加する構成としてもよい。
これにより、前記上位装置から依頼を受けた収集装置は、自装置に割り当てられたグループの通信端末からの情報収集に加え、異常を検出された収集装置に割り当てられたグループの端末からの情報収集を行うことができる。
【０００９】
また、一構成例として、前記収集装置は、自装置に割り当てられたグループの通信端末の各々から順番に情報を収集する収集処理を有し、前記上位装置は、異常を検出された収集装置が前記収集処理の途中であった場合には、当該収集装置に割り当てられたグループに属する通信端末のうち前記収集処理により既に情報の収集を終えた通信端末以外を指定して、前記他の収集装置に情報の収集を依頼する構成としてもよい。
これにより、異常を検出された収集装置に割り当てられたグループの端末からの情報収集を無駄なく行うことができる。
【００１０】
また、一構成例として、前記上位装置は、異常を検出された収集装置と重複する無線通信エリアを有する他の収集装置が複数存在する場合に、異常を検出された収集装置に割り当てられたグループの通信端末からの情報の収集を、前記他の複数の収集装置に分散して指定した依頼を行う構成としてもよい。
これにより、異常を検出された収集装置に割り当てられたグループの通信端末からの情報収集の負荷を効果的に分散させることができる。
【００１１】
また、一構成例として、前記上位装置は、異常を検出された収集装置に割り当てられたグループの通信端末から前記他の収集装置により収集された情報を、異常を検出された収集装置へ送信する構成としてもよい。
これにより、異常を検出された収集装置において、当該収集装置が本来収集すべきであった情報を確認することができる。
【発明の効果】
【００１２】
本発明によれば、異常が発生した収集装置に割り当てられたグループの通信端末からの情報の収集を、当該収集装置に代替して、当該収集装置と重複する無線通信エリアを有する他の収集装置により実施することができる。
【図面の簡単な説明】
【００１３】
【図１】本発明の一実施形態に係る無線通信システムの概略的な構成の例を示す図である。
【図２】屋外拡声装置及び双方向型戸別受信機の機能ブロックの例を示す図である。
【図３】ＡＲＩＢ  ＳＴＤ−Ｔ８６の一括通報のシーケンスの例を示す図である。
【図４】Ａ地区の上り系無線設備で異常が発生した場合の動作の例を示す図である。
【図５】Ａ地区の上り系無線設備が異常から復旧した場合の動作の例を示す図である。
【図６】正常時の処理シーケンスの例を示す図である。
【図７】Ａ地区の基地局の異常が判明した際にＢ地区の情報収集端末による情報収集が実施中の場合の処理シーケンスの例を示す図である。
【図８】Ａ地区の基地局の異常が判明した際にＢ地区の情報収集端末による情報収集が実施中でない場合の処理シーケンスの例を示す図である。
【図９】Ａ地区の情報収集端末による情報収集の実施中にＡ地区の基地局の異常が判明した場合の処理シーケンスの例を示してある。
【図１０】Ａ地区の情報収集端末による情報収集の実施中にＡ地区の基地局の異常が判明した場合の処理シーケンスの例を示してある。
【図１１】ポーリング収集に係るフレーム構成の例を示す図である。
【発明を実施するための形態】
【００１４】
本発明の一実施形態に係る無線通信システムについて、図面を参照して説明する。
図１には、自治体の地区毎に設けられる地区放送システムの概略的な構成の例を示してある。本例の地区放送システムは、親局設備１と、放送波送信用の無線基地局２と、９２０ＭＨｚ帯の無線基地局３及び中継装置４と、通信端末５（屋外拡声装置５ａ及び双方向型戸別受信機５ｂ）を有する。
【００１５】
放送波送信用の無線基地局２は、親局設備１から通信端末５へ情報を送信する下り方向の通信で用いられる下り系無線設備であり、９２０ＭＨｚ帯の無線基地局３及び中継装置４は、通信端末５から親局設備１へ情報を送信する上り方向の通信で用いられる上り系無線設備であり、下り方向の通信と上り方向の通信とで別系統の無線設備を用いている。
すなわち、下り方向の通信では、親局設備１から出力された地区放送に係る音声の信号が、放送波送信用の無線基地局２を用いた無線通信により通信端末５へ送信される。また、上り方向の通信では、通信端末５から出力された信号（例えば、地区放送の受信結果）が、９２０ＭＨｚ帯の無線基地局３及び中継装置４を用いた無線通信により親局設備１へ送信される。
なお、本例では、上り系無線設備にのみ中継装置を設けているが、下り系と上り系のいずれの無線設備においても中継装置を設けるか否かは任意である。
【００１６】
図２には、通信端末５（屋外拡声装置５ａ及び双方向型戸別受信機５ｂ）の機能ブロックの例を示してある。本例の通信端末５は、下り方向の通信に係る放送波受信機１１と、上り方向の通信に係る９２０ＭＨｚ帯の無線機１２と、これらを制御するＣＰＵ（Ｃｅｎｔｒａｌ  Ｐｒｏｃｅｓｓｉｎｇ  Ｕｎｉｔ）１３とを備えている。
【００１７】
放送波受信機１１は、親局設備１から無線基地局２を通じて無線送信された放送波を受信してスピーカ出力する。
ＣＰＵ１３は、親局設備１へ伝達すべき情報の検出を行い、該当する情報を無線機１２に送出する。
無線機１２は、ＣＰＵ１３から送出された情報（親局設備１へ伝達すべき情報）をメモリ（図示せず）に保持（記憶）しておき、親局設備１からの要求に応答して、メモリに保持してある情報を上り系無線設備（無線基地局３及び中継装置４）を通じて親局設備１へ無線送信する。
【００１８】
ここで、親局設備１へ伝達すべき情報としては、例えば、放送波受信機１１による放送波の受信結果を示す受信結果情報や、通信端末５に設けられた操作ボタンの押下結果を示すボタン押下情報などが挙げられる。
また、受信結果情報としては、例えば、「受信できず」、「受信中に同期外れ」、「後追い」、「正常受信」といった状態を示す情報などがある。
「受信できず」は、放送波受信機１１で放送に係る無線フレームの同期がとれなかった状態を表す。この場合、放送波受信機１１は放送を一切受信することができないので、放送音声がスピーカ出力されることがない。
「受信中に同期外れ」は、放送波受信機１１による放送途中で当該放送に係る無線フレームの同期が外れてしまった状態を表す。この場合、放送音声が途中から出なくなったり、音が途切れ途切れになるため、放送内容が正確に伝わっていない可能性が高い。
「後追い」は、放送が開始されて、かなり時間がたってから無線フレームの同期がとれる状態を表す。すなわち、例えば、図３に示すシーケンス（本例では、ＡＲＩＢ  ＳＴＤ−Ｔ８６の一括通報のシーケンス）で、ＰＣＨ通話開始指示とＦＡＣＣＨ番号通知を受信できず、その後のＴＣＨ音声部分で無線フレームの同期がかかった場合、ＰＣＨ通話開始指示とＦＡＣＣＨ番号通知を受信できていないので、その後のＴＣＨ音声部分が誰宛てのものかが不明なので、ＴＣＨ音声部分がスピーカ出力されることがない。この場合、放送内容が伝わらない。
「正常受信」は、放送波受信機１１による放送を正常に終えた状態を表す。すなわち、例えば、図３に示すシーケンスで、ＰＣＨ通話開始指示からＰＣＨ強制切断指示まですべて受信できた場合に該当する。
【００１９】
なお、本例の通信端末５は、下り方向の通信に係る放送波受信機１１と、上り方向の通信に係る無線機１２とを一体に備えた構成の装置であるが、放送波受信機１１と無線機１２とをそれぞれ別体の装置に設ける構成としてもよい。すなわち、放送波受信機１１に無線機１２をケーブル等で接続（例えば、シリアル接続）する構成としてもよく、この場合、親局設備１へ伝達すべき情報を検出する機能（本例のＣＰＵ１３等により実現される機能）は、放送波受信機１１と無線機１２のいずれに設けても構わない。
【００２０】
図４及び図５には、自治体の地区毎に設けられた地区放送システム（図１の地区放送システム）を有する無線通信システムの構成の例を示してある。
なお、これらの図では、上り系無線設備のみを示し、下り系無線設備については省略してある。すなわち、地区放送システム毎の上り系無線設備として、親局設備１に対応する情報収集端末２１と、９２０ＭＨｚ無線基地局３に対応する基地局２２と、９２０ＭＨｚ中継装置４に対応する中継局２３と、通信端末５の９２０ＭＨｚ無線機１２に対応する上り送信機を備えた戸別応答装置２４とを示してある。
【００２１】
各地区の情報収集端末２１には、情報の収集対象として、その地区内に設置された複数の戸別応答装置２４からなるグループを割り当ててある。
各地区の情報収集端末２１は、自装置に割り当てられたグループに属する各々の戸別応答装置２４から情報を収集して、内部（或いは外部）の記憶装置に記憶し、また、表示装置により表示出力する。
また、各地区の情報収集端末２１は、光ファイバー網等の通信網を介して、無線通信システム全体を統制する統制局操作装置２５に接続されている。
【００２２】
ここで、Ａ地区内の各戸別応答装置２４は、同地区の上り系無線設備との無線通信だけでなく、Ａ地区に隣接するＢ地区の上り系無線設備との無線通信も行えるようにしてある。これは、他の地区についても同様であり、各地区の上り系無線設備は、本来担当する地区だけでなく、これに隣接する地区の一部又は全部をカバーするように無線通信エリアを形成している。つまり、各地区の上り系無線設備は、各々の無線通信エリアが互いに重複するように設けてある。
【００２３】
まず、図４を参照して、Ａ地区の上り系無線設備で異常（基地局２２又は中継局２３の異常）が発生した場合の動作について説明する。
Ａ地区の情報収集端末２１は、定期的に（或いは、地区内の戸別応答装置２４から情報を収集する処理を開始する前に）、Ａ地区の上り系無線設備に対して安否確認（ヘルスチェック）を実行し、安否確認に対する応答が得られない場合には、収集先変更要求を統制局操作装置２５に通知する。
【００２４】
統制局操作装置２５は、Ａ地区の情報収集端末２１から収集先変更要求の通知を受けると、Ａ地区の上り系無線設備で異常が発生したと判断し、Ａ地区の戸別応答装置２４からの情報収集の代替先であるＢ地区の情報収集端末２１に、Ａ地区の戸別応答装置２４を指定して収集対象追加要求を送信する。
Ｂ地区の情報収集端末２１は、統制局操作装置２５から収集先追加要求を受けると、収集先追加要求で指定されたＡ地区の戸別応答装置２４を情報の収集対象に追加して、収集先追加要求に対する応答を統制局操作装置２５へ返す。
統制局操作装置２５は、Ｂ地区の情報収集端末２１から収集先追加要求に対する応答を受けると、Ａ地区の情報収集端末２１へ収集停止要求を送信する。
【００２５】
Ｂ地区の情報収集端末２１は、収集先追加要求に対する応答を統制局操作装置２５へ返した後、Ｂ地区の戸別応答装置２４からの情報の収集に加え、Ａ地区の戸別応答装置２４からの情報の収集を行う。
Ａ地区の戸別応答装置２４から収集された情報は、Ｂ地区の情報収集端末２１から統制局操作装置２５へ送信され、統制局操作装置２５からＡ地区の情報収集端末２１へ送信され、Ａ地区の情報収集端末２１により記憶や表示出力が行われる。
【００２６】
以上のような処理により、Ａ地区の戸別応答装置２４からの情報の収集が、Ａ地区の情報収集端末２１に代替してＢ地区の情報収集端末２１により行われることになる。このため、Ａ地区の地区放送システムで上り系無線設備の異常が発生した状態でも、Ａ地区の戸別応答装置２４からの情報の収集を予備的な通信経路（Ｂ地区の上り系無線設備）を用いて行うことができる。
【００２７】
ここで、上り系無線設備に異常が発生した地区の戸別応答装置２４からの情報収集をいずれの地区の情報収集端末２１が代替するかは、統制局操作装置２５に予め設定されていることとする。
本例では、Ａ地区の全ての戸別応答装置２４は、Ｂ地区の上り系無線設備と無線通信可能である（Ｂ地区の上り系無線設備の無線通信エリア内に存在する）ため、Ａ地区の全ての戸別応答装置２４からの情報収集をＢ地区の情報収集端末２１が代替する設定となっているが、戸別応答装置２４毎に代替先の情報収集端末２１を設定してもよい。すなわち、同じ地区内であっても、戸別応答装置２４の設置位置に応じて他のどの地区の上り系無線設備と無線通信できるかが異なり得るので、この場合には、戸別応答装置２４毎に、その戸別応答装置２４と無線通信可能な上り系無線設備を有する他の地区の情報収集端末２１を代替先として設定すればよい。なお、戸別応答装置２４が他の複数の地区の上り系無線設備と通信可能な場合には、より良好な通信品質が得られる上り系無線設備を有する他の地区の情報収集端末２１を代替先として設定することが好ましい。
【００２８】
次に、図５を参照して、Ａ地区の上り系無線設備が異常から復旧した場合の動作について説明する。
Ａ地区の情報収集端末２１は、Ａ地区の上り系無線設備に対する安否確認の応答が得られなかった後も定期的に安否確認を実行し、安否確認に対する応答が得られた場合には、収集先復帰要求を統制局操作装置２５に通知する。
【００２９】
統制局操作装置２５は、Ａ地区の情報収集端末２１から収集先復帰要求の通知を受けると、Ａ地区の上り系無線設備が異常から復旧したと判断し、Ａ地区の戸別応答装置２４からの情報収集の代替先であるＢ地区の情報収集端末２１に、Ａ地区の戸別応答装置２４を指定して収集対象削除要求を送信する。
Ｂ地区の情報収集端末２１は、統制局操作装置２５から収集先削除要求を受けると、収集先削除要求で指定されたＡ地区の戸別応答装置２４を情報の収集対象から削除して、収集先削除要求に対する応答を統制局操作装置２５へ返す。
統制局操作装置２５は、Ｂ地区の情報収集端末２１から収集先削除要求に対する応答を受けると、Ａ地区の情報収集端末２１へ収集再開要求を送信する。
【００３０】
以上のような処理により、Ａ地区の上り系無線設備が異常から復旧した場合には、Ａ地区の戸別応答装置２４からの情報の収集が、Ａ地区の情報収集端末２１により再開されることになる。
【００３１】
次に、各々の装置の間におけるデータ（メッセージ）のやり取りの例について、図６〜図１０に示す処理シーケンスを参照して説明する。なお、図６〜図１０では、上り系無線設備の例として基地局２２のみを示しているが、上り系無線設備として中継局２３を追加してもよく、その場合には、各地区の基地局２２と戸別応答装置２４との間のやり取りが中継局２３を通じて行われる。また、図６〜図１０は、Ａ地区の全ての戸別応答装置２４からの情報収集をＢ地区の情報収集端末２１が代替する例であるが、複数の地区の情報収集端末２１が分担して代替する構成としてもよい。
【００３２】
図６には、正常時の処理シーケンスの例を示してある。
各地区の情報収集端末２１は、定期的にヘルスチェック要求のメッセージを自地区の基地局２２へ送信し、当該メッセージに対する応答の有無により、自地区の基地局２２が正常か異常かを判定する。すなわち、ヘルスチェック要求のメッセージに対する応答であるヘルスチェック応答のメッセージを受信できた場合には、自地区の基地局２２が正常であると判定し、ヘルスチェック応答のメッセージを受信できなかった場合には、自地区の基地局２２が異常であると判定する。なお、瞬間的な通信異常を考慮して、複数回（例えば、３回以上）連続してヘルスチェック応答のメッセージを受信できなかった場合に、自地区の基地局２２が異常であると判定することが好ましい。図６の例では、各地区の情報収集端末２１は、自地区の基地局２２からヘルスチェック応答のメッセージを受信できたので、自地区の基地局２２は正常であると判定する。
【００３３】
また、各地区の情報収集端末２１は、自地区の基地局２２が正常である場合には、統制局操作装置２５からポーリング収集開始のメッセージを受信すると、ポーリング収集開始のメッセージを、自地区の基地局２２を通じて自地区の戸別応答装置２４に伝達する。すなわち、情報の収集対象となる戸別応答装置２４に、情報収集の開始を通知する。
その後、各地区の情報収集端末２１は、ポーリング収集要求のメッセージを、自地区の基地局２２を通じて自地区の戸別応答装置２４へ送信する。すなわち、情報の収集対象となる戸別応答装置２４に、収集情報の送信を要求する。
各地区の戸別応答装置２４は、ポーリング収集要求のメッセージを受信すると、ポーリング収集応答のメッセージを、自地区の基地局２２を通じて自地区の情報収集端末２１へ送信する。ポーリング収集応答のメッセージには、収集対象の情報（受信結果情報やボタン押下情報等）が格納される。
【００３４】
各地区の情報収集端末２１は、自地区の全ての戸別応答装置２４からポーリング収集応答のメッセージを受信すると、データ収集応答のメッセージを統制局操作装置２５へ送信する。データ収集応答のメッセージには、各戸別応答装置２４から収集された情報（戸別応答装置２４毎の受信結果情報やボタン押下情報等）が格納される。
統制局操作装置２５は、各地区の情報収集端末２１からデータ収集応答のメッセージを受信すると、ポーリング収集終了のメッセージを各地区の情報収集端末２１へ送信する。
各地区の情報収集端末２１は、統制局操作装置２５からポーリング収集終了のメッセージを受信すると、ポーリング収集終了のメッセージを自地区の基地局２２を通じて自地区の戸別応答装置２４へ送信する。すなわち、情報の収集対象となる戸別応答装置２４に、情報収集の終了を通知する。
【００３５】
ここで、本例では、各地区の情報収集端末２１は、統制局操作装置２５からの要求（ポーリング収集開始のメッセージ）に応じて情報収集を実施しているが、情報収集端末２１自身が独自に（例えば、情報収集端末２１に対するユーザ操作に応じて）情報収集を実施するようにしてもよい。この場合には、統制局操作装置２５が各地区の情報収集端末２１で情報収集を実施しているか否かを把握できるように、各地区の情報収集端末２１は、情報収集の開始や終了を統制局操作装置２５に伝達すればよい。
【００３６】
図７には、Ａ地区の基地局２２の異常が判明した際にＢ地区の情報収集端末２１による情報収集が実施中の場合の処理シーケンスの例を示してある。
各地区の情報収集端末２１は、定期的にヘルスチェック要求のメッセージを自地区の基地局２２へ送信し、自地区の基地局２２からの応答を待つ。その結果、Ｂ地区の情報収取端末２１は、自地区の基地局２２からヘルスチェック応答のメッセージを受信し、自地区の基地局２２は正常であることが判明したので、自地区の戸別応答装置２４からの情報の収集を開始する。これに対し、Ａ地区の情報収取端末２１は、自地区の基地局２２からヘルスチェック応答のメッセージを受信できず、自地区の基地局２２は異常であることが判明したので、収集先変更要求のメッセージを統制局操作装置２５へ送信する。
【００３７】
統制局操作装置２５は、Ａ地区の情報収取端末２１から収集先変更要求のメッセージを受信すると、Ｂ地区の情報収集端末２１が情報収集の実施中か否かを判定する。本例では、Ｂ地区の情報収集端末２１についてのポーリング収集開始のメッセージの送信後であってデータ収集応答のメッセージの受信前の期間について、Ｂ地区の情報収集端末２１が情報収集の実施中であると判定する。
【００３８】
統制局操作装置２５は、Ａ地区の情報収取端末２１から収集先変更要求のメッセージを受信した際に、Ａ地区の戸別応答装置２４からの情報収集の代替先であるＢ地区の情報収集端末２１は情報収集の実施中であると判定した場合は、変更不可である旨の収集先変更応答のメッセージをＡ地区の情報収取端末２１へ送信する。
Ａ地区の情報収取端末２１は、統制局操作装置２５から変更不可である旨の収集先変更応答のメッセージを受信すると、暫く待機した後に、収集先変更要求のメッセージを統制局操作装置２５へ再度送信する。
【００３９】
統制局操作装置２５は、Ａ地区の情報収取端末２１から収集先変更要求のメッセージを受信した際に、Ａ地区の戸別応答装置２４からの情報収集の代替先であるＢ地区の情報収集端末２１は情報収集を終了したと判定した場合は、変更可である旨の収集先変更応答のメッセージをＡ地区の情報収取端末２１へ送信する。
その後、統制局操作装置２５は、収集先変更要求のメッセージをＢ地区の情報収集端末２１へ送信し、Ｂ地区の情報収集端末２１から収集先変更応答のメッセージを受信すると、収集先変更情報送信のメッセージをＢ地区の情報収集端末２１へ送信する。収集先変更情報送信のメッセージには、Ｂ地区の情報収集端末２１による情報の収集対象にＡ地区の戸別応答装置２４を追加する指示が含まれており、同メッセージを受信したＢ地区の情報収集端末２１は、情報の収集対象にＡ地区の戸別応答装置２４を追加して、収集先変更情報送信応答のメッセージを統制局操作装置２５へ送信する。
統制局操作装置２５は、収集先変更情報送信応答のメッセージを受信すると、ポーリング収集開始のメッセージをＢ地区の情報収集端末２１へ送信する。
【００４０】
Ｂ地区の情報収集端末２１は、統制局操作装置２５からポーリング収集開始のメッセージを受信すると、情報の収集対象に追加したＡ地区の戸別応答装置２４からの情報収集を実施する。なお、Ｂ地区の戸別応答装置２４からの情報収集は既に終えているので、Ｂ地区の戸別応答装置２４からの情報収集は行わず、Ａ地区の戸別応答装置２４からの情報収集のみを行う。
すなわち、Ｂ地区の情報収集端末２１は、ポーリング収集開始、ポーリング収集要求の各メッセージを、Ｂ地区の基地局２２を通じてＡ地区の戸別応答装置２４に伝達する。Ａ地区の戸別応答装置２４は、ポーリング収集要求のメッセージを受信すると、ポーリング収集応答のメッセージを、Ｂ地区の基地局２２を通じてＢ地区の情報収集端末２１へ送信する。Ｂ地区の情報収集端末２１は、Ａ地区の全ての戸別応答装置２４からポーリング収集応答のメッセージを受信すると、データ収集応答のメッセージを統制局操作装置２５へ送信する。
【００４１】
統制局操作装置２５は、Ｂ地区の情報収集端末２１からデータ収集応答のメッセージを受信すると、ポーリング収集終了のメッセージをＢ地区の情報収集端末２１へ送信する。
Ｂ地区の情報収集端末２１は、統制局操作装置２５からポーリング収集終了のメッセージを受信すると、ポーリング収集終了のメッセージを、Ｂ地区の基地局２２を通じてＡ地区及びＢ地区の戸別応答装置２４へ送信する。
【００４２】
その後、Ａ地区の情報収集端末２１は、定期的なヘルスチェック要求のメッセージの送信に対するヘルスチェック応答のメッセージをＡ地区の基地局２２から受信した場合には、Ａ地区の基地局２２が異常から回復したと判断して、収集先変更要求のメッセージを統制局操作装置２５へ送信し、Ｂ地区の情報収集端末２１による情報の収集対象からＡ地区の戸別応答装置２４を削除させる。
すなわち、統制局操作装置２５は、収集先変更要求のメッセージをＢ地区の情報収集端末２１へ送信し、Ｂ地区の情報収集端末２１から収集先変更応答のメッセージを受信すると、収集先変更情報送信のメッセージをＢ地区の情報収集端末２１へ送信する。収集先変更情報送信のメッセージには、Ｂ地区の情報収集端末２１による情報の収集対象からＡ地区の戸別応答装置２４を削除する指示が含まれており、同メッセージを受信したＢ地区の情報収集端末２１は、情報の収集対象からＡ地区の戸別応答装置２４を削除して、収集先変更情報送信応答のメッセージを統制局操作装置２５へ送信する。
【００４３】
図８には、Ａ地区の基地局２２の異常が判明した際にＢ地区の情報収集端末２１による情報収集が実施中でない場合の処理シーケンスの例を示してある。
Ａ地区の情報収取端末２１は、自地区の基地局２２からヘルスチェック応答のメッセージを受信できず、自地区の基地局２２は異常であることが判明したので、収集先変更要求のメッセージを統制局操作装置２５へ送信する。
統制局操作装置２５は、Ａ地区の情報収取端末２１から収集先変更要求のメッセージを受信した際に、Ａ地区の戸別応答装置２４からの情報収集の代替先であるＢ地区の情報収集端末２１は情報収集の実施前と判定した場合は、変更可である旨の収集先変更応答のメッセージをＡ地区の情報収取端末２１へ送信する。
【００４４】
その後、統制局操作装置２５は、収集先変更要求のメッセージをＢ地区の情報収集端末２１へ送信し、Ｂ地区の情報収集端末２１から収集先変更応答のメッセージを受信すると、収集先変更情報送信のメッセージをＢ地区の情報収集端末２１へ送信する。収集先変更情報送信のメッセージには、Ｂ地区の情報収集端末２１による情報の収集対象にＡ地区の戸別応答装置２４を追加する指示が含まれており、同メッセージを受信したＢ地区の情報収集端末２１は、情報の収集対象にＡ地区の戸別応答装置２４を追加して、収集先変更情報送信応答のメッセージを統制局操作装置２５へ送信する。
統制局操作装置２５は、収集先変更情報送信応答のメッセージを受信すると、ポーリング収集開始のメッセージをＢ地区の情報収集端末２１へ送信する。
【００４５】
Ｂ地区の情報収集端末２１は、統制局操作装置２５からポーリング収集開始のメッセージを受信すると、Ｂ地区の戸別応答装置２４からの情報収集の実施に加え、情報の収集対象に追加したＡ地区の戸別応答装置２４からの情報収集を実施する。
すなわち、Ｂ地区の情報収集端末２１は、ポーリング収集開始、ポーリング収集要求の各メッセージを、Ｂ地区の基地局２２を通じてＡ地区及びＢ地区の戸別応答装置２４に伝達する。Ａ地区及びＢ地区の戸別応答装置２４は、ポーリング収集要求のメッセージを受信すると、ポーリング収集応答のメッセージを、Ｂ地区の基地局２２を通じてＢ地区の情報収集端末２１へ送信する。Ｂ地区の情報収集端末２１は、Ａ地区及びＢ地区の全ての戸別応答装置２４からポーリング収集応答のメッセージを受信すると、データ収集応答のメッセージを統制局操作装置２５へ送信する。
【００４６】
統制局操作装置２５は、Ｂ地区の情報収集端末２１からデータ収集応答のメッセージを受信すると、ポーリング収集終了のメッセージをＢ地区の情報収集端末２１へ送信する。
Ｂ地区の情報収集端末２１は、統制局操作装置２５からポーリング収集終了のメッセージを受信すると、ポーリング収集終了のメッセージを、Ｂ地区の基地局２２を通じてＡ地区及びＢ地区の戸別応答装置２４へ送信する。
【００４７】
図９及び図１０には、Ａ地区の情報収集端末２１による情報収集の実施中にＡ地区の基地局２２の異常が判明した場合の処理シーケンスの例を示してある。
Ａ地区の情報収集端末２１は、Ａ地区の戸別応答装置２４の一部からの情報収集を終えてデータ収集応答のメッセージを統制局操作装置２５に送信した後、Ａ地区の基地局２２にヘルスチェック要求メッセージを送信したが、Ａ地区の基地局２２からヘルスチェック応答のメッセージを受信できず、Ａ地区の基地局２２は異常であることが判明した場合には、収集先変更要求のメッセージを統制局操作装置２５へ送信する。
【００４８】
その後、統制局操作装置２５は、収集先変更要求のメッセージをＢ地区の情報収集端末２１へ送信し、Ｂ地区の情報収集端末２１から収集先変更応答のメッセージを受信すると、収集先変更情報送信のメッセージをＢ地区の情報収集端末２１へ送信する。収集先変更情報送信のメッセージには、Ａ地区の戸別応答装置２４のうち、情報収集を未だ終えていない戸別応答装置２４をＢ地区の情報収集端末２１による情報の収集対象に追加する指示が含まれており、同メッセージを受信したＢ地区の情報収集端末２１は、情報の収集対象にＡ地区内の該当する戸別応答装置２４を追加して、収集先変更情報送信応答のメッセージを統制局操作装置２５へ送信する。
統制局操作装置２５は、収集先変更情報送信応答のメッセージを受信すると、ポーリング収集開始のメッセージをＢ地区の情報収集端末２１へ送信する。
【００４９】
Ｂ地区の情報収集端末２１は、統制局操作装置２５からポーリング収集開始のメッセージを受信すると、情報の収集対象に追加したＡ地区の戸別応答装置２４からの情報収集を実施する。なお、Ｂ地区の戸別応答装置２４からの情報収集は既に終えているので、Ｂ地区の戸別応答装置２４からの情報収集は行わず、Ａ地区の戸別応答装置２４（但し、情報収集を未だ終えていないもの）からの情報収集のみを行う。
その後、Ｂ地区の情報収集端末２１は、Ａ地区の該当する戸別応答装置２４からの情報収集を終えると、データ収集応答のメッセージを統制局操作装置２５へ送信する。
【００５０】
統制局操作装置２５は、Ｂ地区の情報収集端末２１からデータ収集応答のメッセージを受信すると、ポーリング収集終了のメッセージをＢ地区の情報収集端末２１へ送信する。
Ｂ地区の情報収集端末２１は、統制局操作装置２５からポーリング収集終了のメッセージを受信すると、ポーリング収集終了のメッセージを、Ｂ地区の基地局２２を通じてＡ地区及びＢ地区の戸別応答装置２４へ送信する。
【００５１】
以上のように、本例の無線通信システムは、自治体の地区毎のグループに分けられた複数の戸別応答装置２４と、地区毎の情報収集端末２１及び上り系無線設備（基地局２２や中継局２３）と、各地区の情報収集端末２１を管理する統制局操作装置２５とを備えており、統制局操作装置２５は、いずれかの地区の上り系無線設備に異常を検出すると、異常を検出された上り系無線設備と重複する無線通信エリアを有する上り系無線設備を備えた地区の情報収集端末２１に、異常を検出された上り系無線設備を有する他の地区の戸別応答装置２４からの情報の収集を依頼し、統制局操作装置２５から依頼を受けた情報収集端末２１が、当該依頼で指定された戸別応答装置２４から情報を収集する構成とした。
ここで、本例では、情報収集端末２１が本発明に係る通信端末に対応し、地区毎の情報収集端末２１及び上り系無線設備（基地局２２や中継局２３）が本発明に係る収集装置に対応し、統制局操作装置２５が本発明に係る上位装置に対応している。
【００５２】
また、各地区の情報収集端末２１は、自地区の戸別応答装置２４の各々からポーリング方式で順番に情報収集を行っており、統制局操作装置２５からの依頼に応じて、当該依頼で指定された戸別応答装置２４（上り系無線設備に異常が発生した地区の戸別応答装置２４）をポーリング方式による情報収集の対象に追加する構成とした。
【００５３】
また、統制局操作装置２５は、上り系無線設備に異常が発生した地区の情報収集端末２１がポーリング方式による情報収集の途中であった場合には、当該地区の戸別応答装置２４のうち既に情報収集を終えた戸別応答装置２４以外を指定して、他の地区の情報収集端末２１に代替的な情報収集の依頼を行う構成とした。
【００５４】
また、統制局操作装置２５は、異常が発生した上り系無線設備と重複する無線通信エリアを有する上り系無線設備を備えた他の地区が複数存在する場合に、上り系無線設備に異常が発生した地区の戸別応答装置２４からの情報収集を、他の複数の地区の情報収集端末２１に分散して指定した依頼を行う構成とした。
【００５５】
また、統制局操作装置２５は、上り系無線設備に異常が発生した地区の戸別応答装置２４から他の地区の情報収集端末２１により収集された情報を、異常が発生した地区の情報収集端末２１へ送信し、異常が発生した地区の情報収集端末２１でその地区の戸別応答装置２４から収集された情報を表示出力できるようにした。
【００５６】
なお、上記のような代替的な情報の収集は、上り系無線設備の異常時だけでなく、情報収集端末２１の異常時にも適用することができる。
すなわち、統制局操作装置２５が、各地区の情報収集端末２１に対する安否確認を行い、いずれかの地区の情報収集端末２１に異常を検出すると、異常を検出された情報収集端末２１側の上り系無線設備と重複する無線通信エリアを有する上り系無線設備を備えた地区の情報収集端末２１に、異常を検出された情報収集端末２１に割り当てられた地区の戸別応答装置２４からの情報の収集を依頼し、統制局操作装置２５から依頼を受けた情報収集端末２１が、当該依頼で指定された戸別応答装置２４から情報を収集する構成としてもよい。
【００５７】
また、各地区の情報収集端末２１は、複数の戸別応答装置２４を小グループに分け、小グループ単位で情報収集を実施するようにしてもよい。なお、基地局２２の異常時の情報収集を複数の情報収集端末２１で代替する場合には、地区内の各戸別応答装置２４を、情報収集を代替する情報収集端末２１が共通する単位で小グループに分けることが好ましい。これにより、情報収集の途中で基地局２２に異常が発生した場合に、その後の情報収集を、必要最小限の情報収集端末２１で実施することができる。
【００５８】
なお、小グループ単位の情報収集は、例えば、図１１に示すような構成のフレームを用いて行うことができる。すなわち、「ポーリング開始」、「スーパーフレームｎ」（本例では、ｎ＝１〜６）、「ポーリング終了」の各データ領域を有するフレームを用い、小グループ毎に「スーパーフレームｎ」を割り当てる。また、各「スーパーフレームｎ」を複数に区分して、該区分毎に小グループ内の戸別応答装置２４をそれぞれ割り当てる。これにより、小グループの単位で、各戸別応答装置２４から順番に情報を収集する（各戸別応答装置２４からの情報収集を時分割で行う）ことができる。
【００５９】
なお、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記憶する記憶媒体などとして提供することも可能である。
【産業上の利用可能性】
【００６０】
本発明は、各所に設けられた通信端末から無線通信により情報を収集する収集装置を備えた種々の形式の無線通信システムに適用することができる。
【符号の説明】
【００６１】
１：親局設備、  ２：放送波送信用無線基地局、  ３：９２０ＭＨｚ帯無線基地局、  ４：９２０ＭＨｚ帯中継局、  ５ａ：屋外拡声装置、  ５ｂ：双方向型戸別受信機、
１１：放送波受信機、  １２：９２０ＭＨｚ帯無線機、  １３：ＣＰＵ、
２１：情報収集端末、  ２２：基地局、  ２３：中継局、  ２４：戸別応答装置、  ２５：統制局操作装置
【図１】
2015065600.tif 000003
【図２】
2015065600.tif 000004
【図３】
2015065600.tif 000005
【図４】
2015065600.tif 000006
【図５】
2015065600.tif 000007
【図６】
2015065600.tif 000008
【図７】
2015065600.tif 000009
【図８】
2015065600.tif 000010
【図９】
2015065600.tif 000011
【図１０】
2015065600.tif 000012
【図１１】
2015065600.tif 000013